(57)【要約】【課題】部材に対するオスネジの姿勢を正確なものにすることができるオスネジ部材設置構造を提供する。【解決手段】オスネジ３と、オスネジ３が螺合しているオスネジ螺合材５と、オスネジ用孔１３が設けられており、オスネジ３がオスネジ用孔１３内に所定の姿勢で設置されるように、オスネジ３が螺合しているオスネジ螺合材５が設置されている部材７と、部材７のオスネジ用孔１３とオスネジ３との間の空間１５に充填されている充填材９とを有する。【選択図】図１
2018197421.tif 000002
【特許請求の範囲】
【請求項１】
オスネジと、
前記オスネジが螺合しているオスネジ螺合材と、
オスネジ用孔が設けられており、前記オスネジが前記オスネジ用孔内に所定の姿勢で設置されるように、前記オスネジが螺合しているオスネジ螺合材が設置されている部材と、
前記部材のオスネジ用孔と前記オスネジとの間の空間に充填されている充填材と、
を有することを特徴とするオスネジ部材設置構造。
【請求項２】
請求項１に記載のオスネジ部材設置構造において、
前記部材のオスネジ用孔と前記オスネジとの間の空間と前記部材および前記オスネジ螺合材との外部とをつないでいる貫通孔が、２つ設けられており、
前記２つの貫通孔のうちの一方の貫通孔は、前記オスネジ用孔の底部と、前記部材およびオスネジ螺合材との外部をつなぐようにして、前記部材に設けられており、
前記２つの貫通孔のうちの他方の貫通孔は、前記オスネジ用孔の開口部と、前記部材および前記オスネジ螺合材との外部をつなぐようにして、前記部材、前記オスネジ螺合材の少なくともいずれかに設けられていることを特徴とするオスネジ部材設置構造。
【請求項３】
請求項１に記載のオスネジ部材設置構造において、
前記オスネジには、この中心軸に沿って延びている貫通孔が設けられており、
前記部材のオスネジ用孔と前記オスネジとの間の空間と、前記部材および前記オスネジ螺合材との外部とをつないでいる貫通孔が設けられており、この貫通孔は、前記オスネジ用孔の開口部と、前記部材および前記オスネジ螺合材との外部をつなぐようにして、前記部材、前記オスネジ螺合材の少なくともいずれかに設けられていることを特徴とするオスネジ部材設置構造。
【請求項４】
請求項１〜請求項３にいずれか１項に記載のオスネジ部材設置構造において、
前記オスネジ螺合材は、接合材によって前記部材に直接接合されていることを特徴とするオスネジ部材設置構造。
【請求項５】
オスネジ螺合材のメスネジにオスネジを螺合させるネジ螺合工程と、
オスネジ用孔が設けられている部材に、前記ネジ螺合工程によってオスネジが螺合しているオスネジ螺合材を、前記オスネジが前記オスネジ用孔内で前記オスネジ用孔に対して所定の姿勢になるように設置するオスネジ螺合材設置工程と、
前記オスネジ螺合材設置工程によって形成された前記オスネジ用孔と前記オスネジとの間の空間に充填材を充填する充填材設置工程と、
を有することを特徴とするオスネジ部材設置方法。
【発明の詳細な説明】
【技術分野】
【０００１】
本発明は、オスネジ部材設置構造およびオスネジ部材設置方法に係り、特に、充填材を用いてオスネジを部材に設置するものに関する。
【背景技術】
【０００２】
従来、図７に示すように、部材（たとえば合板等の木材）３０１に孔３０３を設け、孔３０３にオスネジ３０５を挿入し、孔３０３とオスネジ３０５と間に形成された空間（隙間）３０７に接着剤３０９を充填したオスネジ部材設置構造３１１が知られている。
【０００３】
オスネジ部材設置構造３１１を採用することで、オスネジ３０５を部材３０１に強固に設置することができる。オスネジ３０５が突出している部材３０１は、たとえば、建屋の構造物として使用される。
【０００４】
ここで、従来の技術に関連する文献として、たとえば、特許文献１を掲げることができる。
【先行技術文献】
【特許文献】
【０００５】
【特許文献１】特開２０１５−１０１９０２号公報
【発明の概要】
【発明が解決しようとする課題】
【０００６】
ところで、従来のオスネジ部材設置構造３１１では、図７で示すように、オスネジ３０５が孔３０３にまっすぐに刺さらず、部材３０１の端面３０１Ａに対して斜めに傾いてしまうという問題がある。
【０００７】
そして、図８で示すように、オスネジ３０５が突出している部材３０１を、オスネジ３０５を用いて他の構造物３１３に設置しようしても、他の構造物３１３の孔３１５とオスネジ３０５とが合わず、この修正のために、部材３０１の他の構造物３１３への設置に多くの工数がかかってしまう。
【０００８】
本発明は、上記問題点に鑑みてなされたものであり、部材の孔にオスネジを挿入し、孔とオスネジと間に形成された空間（隙間）に接着剤を充填したオスネジ部材設置構造において、部材に対するオスネジの姿勢を正確なものにすることができるオスネジ部材設置構造を提供することを目的とする。
【課題を解決するための手段】
【０００９】
請求項１に記載の発明は、オスネジと、前記オスネジが螺合しているオスネジ螺合材と、オスネジ用孔が設けられており、前記オスネジが前記オスネジ用孔内に所定の姿勢で設置されるように、前記オスネジが螺合しているオスネジ螺合材が設置されている部材と、前記部材のオスネジ用孔と前記オスネジとの間の空間に充填されている充填材とを有するオスネジ部材設置構造である。
【００１０】
請求項２に記載の発明は、請求項１に記載のオスネジ部材設置構造において、前記部材のオスネジ用孔と前記オスネジとの間の空間と前記部材および前記オスネジ螺合材との外部とをつないでいる貫通孔が、２つ設けられており、前記２つの貫通孔のうちの一方の貫通孔は、前記オスネジ用孔の底部と、前記部材およびオスネジ螺合材との外部をつなぐようにして、前記部材に設けられており、前記２つの貫通孔のうちの他方の貫通孔は、前記オスネジ用孔の開口部と、前記部材および前記オスネジ螺合材との外部をつなぐようにして、前記部材、前記オスネジ螺合材の少なくともいずれかに設けられているオスネジ部材設置構造である。
【００１１】
請求項３に記載の発明は、請求項１に記載のオスネジ部材設置構造において、前記オスネジには、この中心軸に沿って延びている貫通孔が設けられており、前記部材のオスネジ用孔と前記オスネジとの間の空間と、前記部材および前記オスネジ螺合材との外部とをつないでいる貫通孔が設けられており、前記貫通孔は、前記オスネジ用孔の開口部と、前記部材および前記オスネジ螺合材との外部をつなぐようにして、前記部材、前記オスネジ螺合材の少なくともいずれかに設けられているオスネジ部材設置構造である。
【００１２】
請求項４に記載の発明は、請求項１〜請求項３にいずれか１項に記載のオスネジ部材設置構造において、前記オスネジ螺合材は、接合材によって前記部材に直接接合されているオスネジ部材設置構造である。
【００１３】
請求項５に記載の発明は、オスネジ螺合材のメスネジにオスネジを螺合させるネジ螺合工程と、オスネジ用孔が設けられている部材に、前記ネジ螺合工程によってオスネジが螺合しているオスネジ螺合材を、前記オスネジが前記オスネジ用孔内で前記オスネジ用孔に対して所定の姿勢になるように設置するオスネジ螺合材設置工程と、前記オスネジ螺合材設置工程によって形成された前記オスネジ用孔と前記オスネジとの間の空間に充填材を充填する充填材設置工程とを有するオスネジ部材設置方法である。
【発明の効果】
【００１４】
本発明によれば、部材の孔にオスネジを挿入し、孔とオスネジと間に形成された空間（隙間）に接着剤を充填したオスネジ部材設置構造において、部材に対するオスネジの姿勢を正確なものにすることができるという効果を奏する。
【図面の簡単な説明】
【００１５】
【図１】本発明の実施形態に係るオスネジ部材設置構造を示す断面図である。
【図２】変形例に係るオスネジ部材設置構造を示す断面図である。
【図３】本発明の実施形態に係るオスネジ部材設置構造であって複数のオスネジと複数のオスネジ螺合材とが設けられているものを示す断面図である。
【図４】（ａ）はオスネジ螺合材の断面図であり、（ｂ）は（ａ）におけるＩＶＢ矢視図である。
【図５】図３に示すオスネジ部材設置構造を用いて、部材を他の構造物に設置した状態を示す断面図である。
【図６】他の変形例に係るオスネジ部材設置構造を示す断面図である。
【図７】従来のオスネジ部材設置構造を示す図である。
【図８】従来のオスネジ部材設置構造を示す図である。
【発明を実施するための形態】
【００１６】
本発明の実施形態に係るオスネジ部材設置構造１は、たとえば、建屋等の構造物に用いられるものであり、図１等で示すように、オスネジ３とオスネジ螺合材５と部材７と充填材９とを備えて構成されている。
【００１７】
オスネジ（ＧＩＲ；グルードインロッド）３は、たとえば、転造によって形成された鋼等の金属製の全ネジボルトで構成されている。なお、オスネジ３が、端部にオスネジを形成した異形鉄筋で構成されていてもよい。
【００１８】
オスネジ螺合材５も、鋼等の金属で構成されており、オスネジ螺合材５には、オスネジ３が螺合している。なお、オスネジ３やオスネジ螺合材５のメスネジ１１は、たとえば三角ネジで構成されており、さらにはメートルネジで構成されている。なお、オスネジ螺合材５が、木材や合成樹脂等の材料で構成されていてもよい。
【００１９】
部材７として、たとえば、合板で構成されている建築部材を掲げることができるが、部材７として木材等の他の材料（未硬化の接着剤がある程度浸み込む材料が好ましい）が採用されていてもよい。建築部材７には、オスネジ用孔１３が設けられている。そして、オスネジ３が螺合しているオスネジ螺合材５が、建築部材７に所定の位置および姿勢で一体的に設置されている。これにより、オスネジ３が、オスネジ用１３孔内に所定の位置および所定の姿勢で設置されるようになっている。
【００２０】
充填材９は、たとえば硬化した接着剤で構成されており、建築部材７のオスネジ用孔１３とオスネジ３との間の空間１５に充填されている。
【００２１】
建築部材７がたとえば矩形な平板状に形成されていることで、建築部材７には、平面状部位１７が形成されている。オスネジ用孔１３は、平面状部位１７の所定の位置に設けられている。また、オスネジ用孔１３は、平面状部位１７の平面からこの平面に直交する方向に延びて所定の深さになっている。
【００２２】
オスネジ螺合材５は、図４等で示すように、たとえば建築部材７よりも小さい矩形な平板状に形成されている。これにより、オスネジ螺合材５にも、平面状部位１９が形成されている。オスネジ５が螺合しているメスネジ１１は、平面状部位１９の所定の位置に設けられている。また、オスネジ螺合材５の、オスネジ３が螺合しているメスネジ１１は、平面状部位１９の平面からこの平面に直交する方向に延びてオスネジ螺合材５を貫通している。
【００２３】
オスネジ螺合材５に螺合しているオスネジ３は、この長手方向の両端部のそれぞれが、オスネジ螺合材５から所定の長さ突出している。
【００２４】
オスネジ３が螺合しているオスネジ螺合材５が建築部材７に設置されている状態では、建築部材７の平面状部位１７とオスネジ螺合材５の平面状部位１９の平面とがお互いに面接触しており、オスネジ螺合材５の平面状部位１９から一方の側に突出しているオスネジ３の部位が、オスネジ用孔１３の中心軸とオスネジ３の中心軸とがお互いに一致するようにして、オスネジ用孔１３内に入り込んでいる。
【００２５】
この状態では、オスネジ３の外径がオスネジ用孔１３の内径よりも僅かに小さいことで、オスネジ用孔１３の内壁とオスネジ３との間には、円筒状の第１の空間２１が形成されている。また、建築部材７のオスネジ用孔１３の深さの値が、オスネジ螺合材５の平面状部位１９から突出しているオスネジ３の部位の長さの値よりも僅かに大きくなっていることで、オスネジ３の先端とオスネジ用孔１３の底面２３との間にも、第１の空間２１とつながっている第２の空間２５が形成されている。
【００２６】
オスネジ３が螺合しているオスネジ螺合材５が建築用部材７に設置されていることで、第１の空間２１と第２の空間２５とで有底円筒状の空間（閉じた空間；ただし後述する貫通孔２７、２９やオスネジ３とメスネジ１１との間の僅かな隙間を除く）１５が形成されており、充填材９は、有底円筒状の空間１５に隙間なく充填されている。
【００２７】
また、オスネジ部材設置構造１には、建築部材７のオスネジ用孔１３とオスネジ３との間の空間１５と、建築部材７およびオスネジ螺合材５との外部とをつないでいる２つの貫通孔２７、２９が設けられている。
【００２８】
２つの貫通孔のうちの一方の貫通孔２７は、建築部材７に設けられており、オスネジ用孔１３の底部（底面）２３と、建築部材７およびオスネジ螺合材５との外部とをつないでいる。２つの貫通孔のうちの他方の貫通孔２９は、たとえば、建築部材７に設けられている切り欠きの一部をオスネジ螺合材５で塞ぐことで形成されており、オスネジ用孔１３の開口部（入口部；出口部）と建築部材７およびオスネジ螺合材５との外部とをつないでいる。
【００２９】
なお、貫通孔２９が、建築部材７、オスネジ螺合材５の少なくともいずれかに設けられている切り欠きで形成されていてもよいし、または、建築部材７に設けられた貫通孔もしくはオスネジ螺合材５に設けられた貫通孔で形成されていてもよい。
【００３０】
２つの貫通孔のうちの一方の貫通孔２７は、建築部材７のオスネジ用孔１３とオスネジ３との間の空間１５に充填材（未硬化の接着剤）９を注入するための孔であり、２つの貫通孔のうちの他方の貫通孔２９は、空気抜き用の孔である。なお、他方の貫通孔２９を用いて、空間１５内に充填材９が十分に充填されたことを確認することもできる。
【００３１】
すなわち、空間１５の総てに充填材９が充填されると、他方の貫通孔２９に充填材９が出てくるので、この出てきた充填材９を目視することで、空間１５に充填材９が十分に充填されたことを確認することができる。これにより、２つの貫通孔２７、２９の少なくとも一部には、充填材９が入り込んでいる。
【００３２】
オスネジ螺合材５は、木ネジ３１等の接合材（接着剤でもよい）によって建築部材７に直接接合（直接設置）されている。
【００３３】
オスネジ部材設置構造１では、充填材９が設けられていることで、建築部材７とオスネジ螺合材５とオスネジ３とが一体化しているが、仮に充填材９が存在してないとしても、木ネジ３１を用いた接合によって、建築部材７とオスネジ螺合材５とが一体化しており、さらに、オスネジ３がオスネジ螺合材５に螺合していることで、建築部材７とオスネジ螺合材５とオスネジ３とが一体化している。ただし、これらの一体化の結合度は、充填材９を設けた場合に比べて当然に弱くなっている。
【００３４】
次に、オスネジ部材設置構造１を生成するオスネジ部材設置方法について説明する。
【００３５】
まず、オスネジ螺合材５のメスネジ１１にオスネジ３を螺合させる（ネジ螺合工程）。
【００３６】
続いて、オスネジ用孔１３が設けられている建築部材７に、ネジ螺合工程によってオスネジ３が螺合しているオスネジ螺合材５を、オスネジ３がオスネジ用孔１３内でオスネジ用孔１３に対して所定の位置および所定の姿勢になるように設置する（オスネジ螺合材設置工程）。この工程終了時には、オスネジ螺合材５から一方の側（図１では上側）に突出しているオスネジ３の部位が、オスネジ用孔１３内に入っており、オスネジ螺合材５から他方の側（図１では下側）に突出しているオスネジ３の部位が、オスネジ螺合材５や建築部材７やオスネジ用孔１３から突出している。
【００３７】
続いて、オスネジ螺合材設置工程によって形成されたオスネジ用孔１３とオスネジ３との間の空間１５に充填材（未硬化の接着剤）９を充填し、この充填した接着剤を硬化させる（充填材設置工程）。
【００３８】
オスネジ部材設置構造１によれば、オスネジ３がオスネジ用孔内１３に所定の位置および所定の姿勢で設置されるように、オスネジ３が螺合しているオスネジ螺合材５が、建築部材７が設置されており、建築部材７の空間１５に硬化した接着剤９が充填されているので、建築部材７にオスネジ３を強固に設置することができるとともに、建築部材７に対するオスネジ３の位置と姿勢とを正確なものにすることができる。
【００３９】
すなわち、建築部材７の正確な位置で、建築部材７の端面から直角にオスネジ３を起立させることができる。そして、オスネジ３が突出している建築部材７の他の構造物３３（図５参照）への設置を容易に行うことができる。
【００４０】
また、オスネジ用孔１３の中心軸とオスネジ３の中心軸とがお互いに一致しているので、硬化した接着剤９の厚さ（オスネジ３まわりの厚さ）が一定になっており、オスネジ３にかかる様々な向きのモーメントに対して、均等な強度を発揮する。
【００４１】
また、オスネジ部材設置構造１によれば、一方の貫通孔２７がオスネジ用孔１３の底部２３と建築部材７およびオスネジ螺合材５との外部をつないでおり、他方貫通孔２９がオスネジ用孔１３の開口部と建築部材７およびオスネジ螺合材５との外部をつないでいるので、建築部材７の空間１５に接着剤を容易にかつ確実に充填することができる。
【００４２】
また、オスネジ部材設置構造１によれば、オスネジ螺合材５が木ネジ３１によって建築部材７に直接接合されているので、建築部材７のオスネジ用孔１３とオスネジ３との間の空間１５に接着剤９を充填し硬化させる前の状態でも、建築部材７に対するオスネジ３の位置と姿勢とを正確なものにすることができる。
【００４３】
ここで、オスネジ部材設置構造１について図３を参照してさらに説明する、
図３に示すオスネジ部材設置構造１では、オスネジ用孔１３やオスネジ３やオスネジ螺合材５が１つの建築部材７に複数設けられている。また、建築部材７の平面状部位１７が矩形状の切り欠き３５によって形成されている。そして、切り欠き３５にオスネジ螺合材５が入り込みことで、オスネジ３が突出している面が１つの平らな面になっている。
【００４４】
そして、図５で示すように、複数本のオスネジ３とナット３７とを用いて建築部材７を他の構造物３３に設置するとき、各オスネジ３それぞれの位置と姿勢とが正確なものになっているので、各オスネジ３のそれぞれが、他の構造物３３に設けられている各貫通孔３９のそれぞれに対して、こじったりせったりすることなく、容易に挿入される。
【００４５】
ところで、図１に示すオスネジ部材設置構造１では、接着剤９の注入等のために、貫通孔２７と貫通孔２９とが設けられているが、図２で示すように、貫通孔２７に代えて、オスネジ３に貫通孔４１を設けてもよい。
【００４６】
図２に示すオスネジ部材設置構造１では、オスネジ３に貫通孔４１が設けられている。貫通孔４１は、オスネジ３の中心軸に沿って延びている。そして、オスネジ３の貫通孔４１は、建築部材７の空間１５と、建築部材７およびオスネジ螺合材５との外部とをつないでいる。
【００４７】
また、図２に示すオスネジ部材設置構造１では、図１に示すオスネジ部材設置構造１と同様にして、１つの貫通孔２９が、建築部材７のオスネジ用孔１３とオスネジ３との間の空間１５と、建築部材７およびオスネジ螺合材５との外部とをつないでいる。貫通孔２９は、オスネジ用孔１３の開口部と、建築部材７およびオスネジ螺合材５との外部をつなぐようにして、建築部材７、オスネジ螺合材５の少なくともいずれかに設けられている。
【００４８】
なお、オスネジ３の先端（オスネジ用孔１３の底面２３側の端部）にはスリット４３が形成されている。これにより、オスネジ用孔１３の底面２３とオスネジ３の先端との隙間が小さくても空間１５内に接着剤９が吐出されやすくなる。
【００４９】
図３に示すオスネジ部材設置構造１によれば、オスネジ３に貫通孔４１が設けられているので、建築部材７に別途貫通孔を設けることなく、建築部材７のオスネジ用孔１３とオスネジ３との間の空間１５に接着剤９を容易にかつ確実に充填することができ、建築部材３の外観を良好なものにすることができる。
【００５０】
なお、オスネジ部材設置構造１を図６に示すように構成してもよい。図６に示すものでは、オスネジ螺合材５にメスネジのかわりに貫通孔４５を設けてある。そして、貫通孔４５にオスネジ３を挿入し、一対のナット４７、４９をオスネジ３に螺号させて一対のナット４７、４９でオスネジ螺合材５を挟み込むことで、オスネジ３をオスネジ螺合材（オスネジ支持部材）５に係合させ一体的に設置している。
【００５１】
そして、充填材９を設けた後に、外側のナット４９を取り外すことで、図１等に示すオスネジ部材設置構造１とほぼ同様な形態になる。
【符号の説明】
【００５２】
１  オスネジ部材設置構造
３  オスネジ
５  オスネジ螺合材
７  部材（建築部材）
９  充填材（接着剤）
１３  オスネジ用孔
１５  空間
２３  オスネジ用孔の底部
２７  一方の貫通孔
２９  他方の貫通孔
３１  接合材（木ネジ）
４１  オスネジの貫通孔
【図１】
2018197421.tif 000003
【図２】
2018197421.tif 000004
【図３】
2018197421.tif 000005
【図４】
2018197421.tif 000006
【図５】
2018197421.tif 000007
【図６】
2018197421.tif 000008
【図７】
2018197421.tif 000009
【図８】
2018197421.tif 000010